(57)【要約】【課題】振動環境下において、ノイズフィルタ内蔵ジョイントコネクタの接続信頼性を高める。【解決手段】コンデンサ３０が内部に組み込まれたノイズフィルタ内蔵ジョイントコネクタ１０であって、バスバー端子２１Ａ、２１Ｂ（端子金具）とこのバスバー端子２１Ａ、２１Ｂに接続されるリード線３１Ａ、３１Ｂ（端子接続部）を有するコンデンサ３０とが予め抵抗溶接により接続され、一体化された状態でコネクタハウジング１１内に組み込み可能なコンデンサユニット５０と、前記コネクタハウジング１１に設けられ、前記コンデンサユニット５０に弾性的に当接するゴム製の弾性体６３（がたつき規制部）とを備えている。【選択図】図４
2014120394.tif 000002
【特許請求の範囲】
【請求項１】
コンデンサがコネクタハウジングの内部に組み込まれたノイズフィルタ内蔵ジョイントコネクタであって、
端子金具とこの端子金具に接続される端子接続部を有するコンデンサとが予め一体化された状態で前記コネクタハウジング内に組み込み可能なコンデンサユニットと、
前記コネクタハウジングに設けられ、前記コンデンサユニットに弾性的に当接するがたつき規制部とを備えていることを特徴とするノイズフィルタ内蔵ジョイントコネクタ。
【請求項２】
前記端子接続部は前記コンデンサより突出して設けられたリード線であり、
前記コンデンサユニットは前記リード線と前記端子金具とが前記相手コネクタとの嵌合方向に沿って配され、前記リード線と前記端子金具の端部同士を溶着することにより形成される一方で、
前記コネクタハウジングには、前記コンデンサユニットを収容するための差し込み口が開口するとともに、前記差し込み口を閉止する蓋体の内面には前記がたつき規制部が設けられ、
前記差し込み口が前記蓋体にて閉止された状態で、前記がたつき規制部が前記コンデンサユニットを前記嵌合方向と交差する方向から押し当てられることを特徴とする請求項１に記載のノイズフィルタ内蔵ジョイントコネクタ。
【請求項３】
前記コネクタハウジング内には、前記コンデンサを前記嵌合方向前方及び後方から挟み込むことで、前記コンデンサの前記嵌合方向への変位を規制する位置ずれ規制部が設けられていることを特徴とする請求項１又は請求項２に記載のノイズフィルタ内蔵ジョイントコネクタ。
【請求項４】
前記コンデンサユニットには、複数本の前記端子金具を一括して保持するホルダ部が設けられており、前記ホルダ部は前記コネクタハウジングと前記蓋体の内面に設けられたホルダ支持部にて嵌合方向と交差する方向から挟み込まれることで前記コネクタハウジング内に固定がなされていることを特徴とする請求項２に記載のノイズフィルタ内蔵ジョイントコネクタ。
【請求項５】
前記ホルダ支持部には、前記ホルダと係止して同ホルダを嵌合方向前後双方向に位置決めする位置決め突縁が突出形成されていることを特徴とする請求項４に記載のノイズフィルタ内蔵ジョイントコネクタ。
【発明の詳細な説明】
【技術分野】
【０００１】
本発明は、ノイズフィルタ内蔵ジョイントコネクタに関するものである。
【背景技術】
【０００２】
配線基板間の電気的接続に使用されるコネクタの端子には、ノイズを除去するためにコンデンサ等のノイズ除去用部品（ノイズフィルター）が接続されるのが一般的である。そして、コンデンサを端子間に組み付ける手段として、各端子の接続部に弾発性のある一対の金属部材を設け、この一対の金属部材の間にコンデンサを弾性的に挟みこむことで、コンデンサの接続作業を容易にする技術が開示されている（例えば、特許文献１参照）。
【先行技術文献】
【特許文献】
【０００３】
【特許文献１】特開２００７−２８７６４２号公報
【発明の概要】
【発明が解決しようとする課題】
【０００４】
しかしながら、上記のコネクタは、コンデンサを固定する手段として、一対の金属部材で挟み付け、下から支持台にて支持するだけである。そのため、車載用途などの大きな振動を伴う環境にて使用される場合、接続不良を起こすことが懸念される。
【０００５】
本発明は上記のような事情に基づいて完成されたものであって、接続信頼性の高いノイズフィルタ内蔵ジョイントコネクタを提供することを目的とする。
【課題を解決するための手段】
【０００６】
本発明のノイズフィルタ内蔵ジョイントコネクタは、
端子金具とこの端子金具に接続される端子接続部を有するコンデンサとが予め一体化された状態で前記コネクタハウジング内に組み込み可能なコンデンサユニットと、
前記コネクタハウジングに設けられ、前記コンデンサユニットに弾性的に当接するがたつき規制部とを備えて構成されていることを特徴とする。
【発明の効果】
【０００７】
本発明によれば、コネクタハウジングにはコンデンサユニット対して、弾性的に当接するがたつき規制部が設けられているため、振動環境下において、振動はがたつき規制部により吸収され、コンデンサユニットのがたつきが緩和される。よって、コンデンサと端子金具との良好な接続を保つことができる。
【図面の簡単な説明】
【０００８】
【図１】実施例１に係るコンデンサユニットの平面図
【図２】同じくコンデンサユニットの側断面図
【図３】同じくノイズフィルタ内蔵ジョイントコネクタの斜視図
【図４】同じくノイズフィルタ内蔵ジョイントコネクタの側断面図
【図５】実施例２に係るノイズフィルタ内蔵ジョイントコネクタの側断面図
【発明を実施するための形態】
【０００９】
本発明における好ましい実施の形態を説明する。
（１） 本発明のノイズフィルタ内蔵ジョイントコネクタは、
前記端子接続部は前記コンデンサより突出して設けられたリード線であり、
前記コンデンサユニットは前記リード線と前記端子金具とが前記相手コネクタとの嵌合方向に沿って配され、前記リード線と前記端子金具の端部同士を溶着することにより形成される一方で、
前記コネクタハウジングには、前記コンデンサユニットを収容するための差し込み口が開口するとともに、前記差し込み口を閉止する蓋体の内面には前記がたつき規制部が設けられ、
前記差し込み口が前記蓋体にて閉止された状態で、前記がたつき規制部が前記コンデンサユニットを前記嵌合方向と交差する方向から押し当てられる構成とすることが好ましい。
この構成によれば、コンデンサのリード線と端子金具は溶着によって接続されるため、圧接による接続手法に比べて、振動に強く、接続信頼性を向上できる。また、コンデンサユニットをコネクタハウジングに収容する為の差し込み口を閉止する蓋体の内面にがたつき規制部が設けられている。よって、差し込み口を蓋体により閉じると同時に、蓋体の内面に設けられたがたつき規制部は収容されたコンデンサユニットを相手方コネクタとの嵌合方向と交差する方向より押圧し、コンデンサユニットをコネクタハウジングの内壁に押しつける。これによりコンデンサユニットのがたつきが緩和されるので、コンデンサと端子金具との接続信頼性が向上する。
【００１０】
（２） 本発明のノイズフィルタ内蔵ジョイントコネクタは、
前記コネクタハウジング内には、前記コンデンサを前記嵌合方向前方及び後方から挟み込むことで、前記コンデンサの前記嵌合方向への変位を規制する位置ずれ規制部が設けられている構成とすることが好ましい。
この構成によれば、コネクタハウジング内に収容したコンデンサユニットにおいて、コンデンサが嵌合方向前方及び後方から位置ずれ規制部により挟み込まれているため、コンデンサは嵌合方向へ変位することが規制される。よって、コンデンサが嵌合方向へ変位した場合においても、コンデンサと端子金具との接続部位に対して応力がかかることを防止でき、良好な接続を保つことができる。
【００１１】
（３） 本発明のノイズフィルタ内蔵ジョイントコネクタは、
前記コンデンサユニットには、複数本の前記端子金具を一括して保持するホルダ部が設けられており、前記ホルダ部は前記コネクタハウジングと前記蓋体の内面より突出して設けられたホルダ支持部にて嵌合方向と交差する方向から挟み込まれることで前記コネクタハウジング内に固定がなされ、かつ、前記端子金具の前記嵌合方向への変位が規制される構成とすることが好ましい。
この構成によれば、ホルダ部が端子金具を一括して保持するようにした為、コンデンサユニットをコネクタハウジング内に収容する作業が簡単になる。また、コネクタハウジングと蓋体の内面には、ホルダ支持部が突設されており、差し込み口を閉止する際には、ホルダ部は両ホルダ支持部により挟み込まれて固定がなされ、かつ、ホルダ部が嵌合方向に変位することが規制される。よって、ホルダ部及び端子金具が嵌合方向へ変位した場合においても、コンデンサと端子金具との接続部位に対して応力がかかることを防止でき、良好な接続を保つことができる。
（４） 本発明のノイズフィルタ内蔵ジョイントコネクタは、
前記ホルダ支持部には、前記ホルダと係止して同ホルダを嵌合方向前後双方向に位置決めする位置決め突縁が突出形成されている構成としてもよい。
この構成によれば、端子金具についても嵌合方向前後両方向に位置決めされるため、コネクタ同士の嵌合・離脱の際にコンデンサと端子金具との接続部位に応力が作用する事態を回避して、これによっても良好な接続状態の保持に寄与することができる。
【００１２】
本発明のノイズフィルタ内蔵ジョイントコネクタを具体化した実施例１、２について図を参照しつつ説明する。
＜実施例１＞
本実施例のノイズフィルタ内蔵ジョイントコネクタ１０（以下、単にコネクタ１０と称する。）は第１、第２バスバー端子（端子金具）２１Ａ、２１Ｂと、それらを一括して保持するホルダ部４０と、ノイズ除去用のコンデンサ３０とが一体的に構成されたコンデンサユニット５０と、プラスチック製のコネクタハウジング１１とを備えて構成されている。尚、以下の説明において、前後方向については、図１の左方を前方、右方を後方ということにする。
【００１３】
図１、図２にコンデンサユニット５０の平面図及び側断面図を示す。第１、第２バスバー端子２１Ａ、２１Ｂは銅合金等の金属の導電性板材を打ち抜いて、曲げ加工等を施すことで成形されている。第１、第２バスバー端子２１Ａ、２１Ｂは図２に示すように、ホルダ部４０の高さ方向に２段に並んで配置されている。なお、第１バスバー端子２１Ａが上段側であり、下段側が第２バスバー端子２１Ｂである。また、第１バスバー端子２１Ａが正極側となり、第２バスバー端子２１Ｂが負極側（アース側）となる。
【００１４】
第１バスバー端子２１Ａは、４本の端子部２２とこれらを連結する帯状連結部２３と第１延出部２４Ａとからなり、コンデンサ３０の正極リード線３１Ａとは第１接続部２５Ａによって接続されている。第２バスバー端子２１Ｂは４本の端子部２２とこれらを連結する帯状連結部２３と、第２延出部２４Ｂとからなり、コンデンサ３０の負極リード線３１Ｂとは第２接続部２５Ｂによって接続されている。帯状連結部２３は図１に示すように幅方向に長い帯状の金属板である。端子部２２は帯状連結部２３の一側縁に所定のピッチで並んで突設されており、タブ状を成し先端が尖って形成されている。端子部２２は相手方コネクタ（図示しない）に保持された端子金具（図示しない）と相手方コネクタとの嵌合時に接続する。また、帯状連結部２３のうち端子部２２とは反対の縁より、各延出部２４Ａ、２４Ｂが形成されている。
【００１５】
ホルダ部４０はプラスチック製であり、各バスバー端子２１Ａ、２１Ｂの帯板連結部２３を内部に埋設して一体形成されている。そして図１に示すようにホルダ部４０より後方に端子部２２が、前方より各延出部２４Ａ、２４Ｂがそれぞれ突出している。
【００１６】
図１に示すように、第１バスバー端子２１Ａの第１延出部２４Ａは、全長に亘って段差がなく、平坦に形成されており、その先端部が正極リード線３１Ａと接続する第１接続部２５Ａとなっている。一方で、第２バスバー端子２１Ｂの第２延出部２４Ｂは、負極リード線３１Ｂと接続するために、第１接続部２５Ａと同一の高さに揃えるべく、長さ方向の途中で二度略直角に曲げられて第２接続部２５Ｂが形成されている（高さ方向に曲げられて第２接続部２５Ｂに至る第２延出部２４Ｂを後側垂直部２６と呼ぶことにする）。また、第２延出部２４Ｂは先端に至るまで複数回、略直角に曲げられて形成されている。なお、第２延出部２４Ｂの方が第１延出部２４Ａよりも長く形成されている。図１に示すように、第２延出部２４Ｂの幅は第１延出部２４Ａの幅に比べて広くなっており、搭載するコンデンサ本体３２の直径と同等である。また、図１に示すように第２接続部２５Ｂは、正極リード線３１Ａと接触しないように、幅方向後方より切り欠かれており、やや幅狭に形成されている。
【００１７】
第２延出部２４Ｂの第２接続部２５Ｂより前部については、第２接続部２５Ｂより下方に略垂直に延びる前側垂直部（位置ずれ規制部）２７、前側垂直部２７より嵌合方向前方に向かって延び、コンデンサユニット５０の底面を構成するコンデンサ支持部２８、コンデンサ支持部２８をクランク状に曲加工を行うことで形成したアース接続部２９が順に連続して形成されている。アース接続部２９は先端が半円形状をしており、その中央には、車両ボディ等の接地部にてボルト締めによる固定が可能なように、真円状の穴２９Ｈが空いている。
【００１８】
コンデンサ３０はアルミ電解コンデンサであり、円柱形状を成すコンデンサ本体３２と、その後端面より後方に向けて導出された正負極を有する一対のリード線３１Ａ、３１Ｂと、リード線３１Ａ、３１Ｂの引き出し部分をシールするゴム栓３３とを備えている。
【００１９】
次にコンデンサユニット５０の組み立て手順の一例について説明する。
【００２０】
まず、コネクタハウジング１１外に設けられた適当な支持台（図示しない）を用意し、ホルダ部４０と一体になった各バスバー端子２１Ａ、２１Ｂを置く。そして、第２バスバー端子２１Ｂの第２延出部２４Ｂの一部であり、コンデンサユニット５０の底面を構成するコンデンサ支持部２８上に絶縁スペーサ４２を配置する。絶縁スペーサ４２はプラスチック製であり、上面はコンデンサ本体３２の側面形状に適合して密着させうる湾曲形状をもって窪んでいる。そして、ゴム栓３３を前側垂直部２７に当て、かつ、絶縁スペーサ４２をコンデンサ支持部２８の幅にそろえつつ、同コンデンサ支持部２８上に適切な接着手段を介して載置する。コンデンサ３０の配置が終わったら、正極リード線３１Ａと第１接続部２５Ａ及び負極リード線３１Ｂと第２接続部と２５Ｂを抵抗溶接により接続することで、コンデンサユニット５０の組み立ては完了する。
【００２１】
コネクタハウジング１１は上方及び前後方向に開口する略樋状に形成されたロアハウジング１１Ｌと、これに合体されるアッパハウジング１１Ｕ（蓋体、位置ずれ規制部）との２部材によって構成されている。合体状態のコネクタハウジング１１は、相手方コネクタと嵌合可能な角筒状のフード部１２と、各バスバー端子２１Ａ、２１Ｂとコンデンサ３０の各リード線３１Ａ、３１Ｂを収容可能な端子収容室１３と、端子収容室１３の前端側に配された端子支持部１６と、フード部１２と端子収容室１３とを仕切る上下一対のホルダ支持部１４と、コンデンサ本体３２を収容可能なコンデンサ収容室１５を備えて構成されている。
【００２２】
コネクタハウジング１１の内部にはホルダ部４０を支持するためのホルダ支持部１４が上下一対、配されている。両ホルダ支持部１４はフード部１２と端子収容室１３間において、幅方向全面にわたって突設されている。図４に示すように、両ホルダ支持部１４の対向面は位置決め突縁１９を残して中央部が凹状に窪んでいる。このことにより、両ホルダ支持部１４はホルダ部４０を適合した状態で上下から挟み込んで保持することができると共に、位置決め突縁１９にて、ホルダ部４０を前後方向に位置決めした状態で固定することができる。
【００２３】
図３に示すように、コンデンサ収容室１５は端子収容室１３及びフード部１２と比較して幅狭になっており、コンデンサ収容室１５の幅はコンデンサ本体３２の直径と同等に設定され、コンデンサ本体３２を幅方向に隙間なく収容可能である。また、端子収容室１３の前端部下面には、幅方向全面にわたって端子支持部１６が突設されており、コンデンサユニット５０をロアハウジング１１Ｌに収容した際、第２延出部２４Ｂのクランク状部分（後側垂直部２６と前側垂直部２７とで前後から挟まれた空間）に適合し、第２バスバー端子２１Ｂを位置決めした状態で固定する。
【００２４】
ロアハウジング１１Ｌの両側壁の上縁部において、フード部１２、端子収容室１３及びコンデンサ収容室１５に対応する部位にはそれぞれロック突部６４が突出形成されている。一方、アッパハウジング１１Ｕはロアハウジング１１Ｌの上面及び前面を整合して閉止可能な壁面を有した構成となっている。アッパハウジング１１Ｕの両側縁の対応位置にはロック部６５が枠状に形成されている。そして、アッパハウジング１１Ｕがロアハウジング１１Ｌの上面を整合状態で閉止することで、ロック部６５と対応するロック突部６４とが係止し、これにより、ロア、アッパの両ハウジング１１Ｌ、１１Ｕが合体してコネクタハウジング１１が構成される。
【００２５】
また、アッパハウジング１１Ｕの内面側であって、コンデンサ収容室１５に対応した部位には、ゴム製の弾性体（がたつき規制部）６３が取り付けられている。この弾性体６３はコンデンサ本体３２の直径より短い幅寸法でコンデンサ本体３２のほぼ全長にわたる長さをもって形成されている。そして、アッパハウジング１１Ｕがロアハウジング１１Ｌに合体された状態では、弾性体６３はコンデンサ本体３２の側面に対して圧縮状態で押さえつけられるようになっている。すなわち、コンデンサ３０は、アッパハウジング１１Ｕとロアハウジング１１Ｌとの合体状態では、弾性体６３の弾性力によって絶縁スペーサ４２との間で挟圧力を受けた状態で保持されるため、上下方向へのがたつきは規制される。また、コンデンサ３０はゴム栓３３を介して第２バスバー端子２１Ｂの前側垂直部２７と、アッパハウジング１１Ｕの前壁面１１Ｕ−１（前側垂直部２７と共に本発明の位置ずれ規制部を構成する）との間で、密着状態で挟み付けられるため、前後方向へのがたつきも規制される。
【００２６】
次にコネクタハウジング１１内にコンデンサユニット５０を収容し、コネクタ１０を組み立てる手順について説明する。
【００２７】
まず、ロアハウジング１１Ｌを開放状態にしておき、コンデンサユニット５０をその上面開口よりロアハウジング１１Ｌ内に収容する。その際、コンデンサユニット５０のホルダ部４０下面側をホルダ支持部１４の窪みに嵌めこむ。また、第２延出部２４Ｂの後側垂直部２６、第２接続部２５Ｂ及び、前側垂直部２７により構成されるクランク状部分に対してコネクタハウジング１１の端子支持部１６を嵌めこむ。これにより、コネクタハウジング１１に対してコンデンサユニット５０が固定される。尚、コンデンサ収容室１５の下面とコンデンサ支持部２８とは完全に密着する。また、図４に示すようにクランク状に曲げられたアース接続部２９についてはロアハウジング１１Ｌの前方へ突出し、かつロアハウジング１１Ｌ下面と面一となる。その後、アッパハウジング１１Ｕとの合体を行うべく、ロアハウジング１１Ｌの上面開口を閉止し、かつ、各ロック部６５に対応するロック突部６４を係止させる。これにより、ホルダ部４０は上下のホルダ支持部１４にて挟み込まれると共に、位置決め突縁１９にて前後方向の位置決めがなされる。また、アッパハウジング１１Ｕの内面側に設けられた弾性体６３がコンデンサ本体３２の上面に上下方向に圧縮状態で押さえつけられる。これにより、コンデンサ３０は絶縁スペーサ４２へ固定される。
【００２８】
また、本実施例におけるコネクタ１０において、ノイズ成分が重畳された信号電流は、第１バスバー端子２１Ａから正極リード線３１Ａを伝ってコンデンサ本体３２へと流れ込む。その後、ノイズ成分は負極リード線３１Ｂから第２延出部２４Ｂのコンデンサ支持部２８とアース接続部２９を伝って接地部へと流れて除去され、第２バスバー端子２１Ｂからは信号電流のみが得られることになる。
【００２９】
次に本実施例の作用効果について説明する。
【００３０】
本実施例のコネクタ１０は、コネクタハウジング１１外にてコンデンサ３０と各バスバー端子２１Ａ、２１Ｂとの接続を行ってコンデンサユニット５０として一体化させた後に、コネクタハウジング１１内にコンデンサユニット５０を組み込むことで構成できる。よって、コネクタハウジング１１内に収容された端子間にコンデンサ３０を組み付けてコネクタ１０を構成する従来方法と異なり、コンデンサ３０と各バスバー端子２１Ａ、２１Ｂとの接続手法に制限を受けない。よって、抵抗溶接などの接続信頼性の高い接続手法を用いることができ、接続不良が発生するのを抑制できる。
【００３１】
また、ロアハウジング１１Ｌの上面開口にアッパハウジング１１Ｕを取り付けて合体させる際、弾性体６３がコンデンサ本体３２の上側面に圧縮変形して密着するため、コンデンサ３０の上下方向へのがたつきは規制される。
【００３２】
また、コンデンサ本体３２は第２バスバー端子２１Ｂの前側垂直部２７と、アッパハウジング１１Ｕの前壁面１１Ｕ−１との両位置ずれ規制部の間に挟み込まれて前後方向への位置決めがなされているため、コンデンサ３０の各リード線３１Ａ、３１Ｂと各バスバー端子２１Ａ、２１Ｂとの接続部位に対して応力がかかることがなくなり、良好な接続を保つことができる。また、コンデンサ本体３２と前側垂直部２７との間にはゴム栓３３が介されているため、両位置ずれ規制部とのクリアランスを確実に詰めることができ、もってコンデンサ３０の前後方向へのがたつきが確実に規制される。
【００３３】
また、ホルダ部４０は上下のホルダ支持部１４にて挟み込まれると共に、その位置決め突縁１９にて、前後方向の位置決めがなされる。よって、コネクタ間の嵌合離脱に伴うホルダ部４０に作用する力を受け止めることができる。これにより、コンデンサ３０の各リード線３１Ａ、３１Ｂと各バスバー端子２１Ａ、２１Ｂとの接続部位に対して応力がかかることがなくなり、このことも良好な接続を保つことに寄与する。
【００３４】
また、コンデンサ３０の負極リード線３１Ｂと接続する第２バスバー端子２１Ｂの第２延出部２４Ｂの長くして、アース接続部２９として使用することにより、負極リード線３１Ｂより流れ込むノイズ成分を、アース接続部２９を通して接地除去することができる。また、第２延出部２４Ｂの幅を広く形成することにより、ノイズ電流が流れる導電路を広く取れる為、ノイズ除去能力を高めることができる。
【００３５】
＜実施例２＞
図５には、実施例２に係るノイズフィルタ内蔵ジョイントコネクタ７０（以下、コネクタ７０と称する。）の側断面図を示す。実施例２におけるロアハウジング１１Ｌは、上述した実施例１とは異なり、コンデンサ収容室１５の下面が全面に渡って開口されている。そして、その開口部を閉じるように第２バスバー端子２１Ｂが延出してアース接続部２９が形成されている。
【００３６】
具体的には、アース接続部２９はロアハウジング１１Ｌ下面と面一に形成され、その全面が下面側に露出した状態となっている。また、図５に示すように、アース接続部２９の中央部には、高さ方向下方を向いてスタッドボルト７１が突設されている。
【００３７】
コネクタ７０を車両ボディに固定して接地する際には、比較的板厚の薄い車両部位を接地部７２として使用する。そして、接地部７２にスタッドボルト７１が嵌めこみ可能なボルト穴７４を空けて、そのボルト穴７４に対してコネクタ７０のスタッドボルト７４を差し込む。その後、ナット７５を締めることで、接地部７２に対してコネクタ７０を固定することができる。この時、図５に示すようにアース接続部２９は全面において接地部７２と接触する。
【００３８】
実施例２によれば、コンデンサ収容室１５の下面に露出したアース接続部２９と接地部７２とは全面に渡って接触し、併せて、コンデンサ３０の負極リード線３１Ｂから接地部７２までの距離は短くなり、ノイズ電流の導通経路を短尺化できる為、コネクタ７０のノイズ除去効果をより高めることが可能となる。
【００３９】
以上、本発明によれば、コネクタハウジング１１外にて、コンデンサ３０と端子金具２１Ａ、２１Ｂとを接続しコンデンサユニット５０として一体化した後に、コネクタハウジング１１内にそれを組みこむことでコネクタ１０、７０を構成できる。よって、コネクタハウジング１１内に収容された端子間にコンデンサ３０を組み付けてコネクタ１０、７０を構成する従来方法と異なり、コンデンサ３０と端子金具２１Ａ、２１Ｂとの接続手法に制限を受けない。よって、より接続信頼性の高い接続手法を用いてコンデンサ３０と端子金具２１Ａ、２１Ｂを接続できる。また、コネクタハウジング１１にはコンデンサユニット５０に対して、弾性的に当接するがたつき規制部６３が設けられているため、振動環境下にあっても、振動をがたつき規制部６３により吸収しコンデンサユニット５０のがたつきを抑制することができる。よって、コンデンサ３０と端子金具２１Ａ、２１Ｂとの良好な接続を保つことができる。
【００４０】
＜他の実施例＞
本発明は上記記述及び図面によって説明した実施例に限定されるものではなく、例えば次のような実施例も本発明の技術的範囲に含まれる。
（１）上記実施例では、コンデンサのリード線と端子金具との接続手段に抵抗溶接を用いたが、これに限らずレーザー溶接や半田付けを用いても良い。
（２）上記実施例では、端子接続部をリード線としたが、これに限らず、コンデンサ本体と一体に設けられた電極であっても良い。
（３）上記実施例では、端子金具にアース端子を接続したが、アース端子は省略可能である。
（４）上記実施例では、コンデンサにアルミ電解コンデンサを用いたが、これに限らず、その他の電解コンデンサ、フィルムコンデンサやセラミックコンデンサを用いても良く、また、容量や形状が異なっていても良い。
（５）上記実施例では、端子金具の厚さを均一としたが、厚さが長さ方向の途中で変化していても良い。
（６）上記実施例では、がたつき規制部がコンデンサ全長にわたって密着するようにしたが、一部に密着していても良い。
【符号の説明】
【００４１】
１０、７０…コネクタ（ノイズフィルタ内蔵ジョイントコネクタ）
１１…コネクタハウジング
１１Ｕ…アッパハウジング（蓋体）
１１Ｕ−１…前側壁面（位置ずれ規制部）
１４…ホルダ支持部
１９…位置決め突縁
２１Ａ、２１Ｂ…第１、第２バスバー端子（端子金具）
２７…前側垂直部（位置ずれ規制部）
３０…コンデンサ
３１Ａ、３１Ｂ…正極、負極リード線（リード線）
４０…ホルダ部
５０…コンデンサユニット
６３…弾性体（がたつき規制部）
【図１】
2014120394.tif 000003
【図２】
2014120394.tif 000004
【図３】
2014120394.tif 000005
【図４】
2014120394.tif 000006
【図５】
2014120394.tif 000007